(57)【要約】  吸着パッドを介して作用する負圧により板状部材としてのガラス板Ｐを吸着保持した状態で移送する板状部材の移送装置であって、吸着パッド３０は内面に突起３９を有し、ガラス板Ｐの表面に重ねられた保護シートＢを吸着したとき、突起３９が保護シートＢを貫通すると共に、保護シートの突起による貫通部分の周囲に通気部b1が形成され、該通気部を介してガラス板Ｐを保護シートＢと共に吸着保持する。
2011155443.tif 000002
【特許請求の範囲】
【請求項１】
吸着パッドを介して作用する負圧により板状部材を吸着保持した状態で、前記板状部材を移送する板状部材の移送装置であって、
前記吸着パッドはその内面に突起を有し、前記板状部材の表面に重ねられた保護シートを負圧により吸着したとき、前記突起が前記保護シートを貫通すると共に、前記保護シートの前記突起による貫通部分の周囲に通気部が形成され、該通気部を介して前記板状部材に作用する負圧により前記板状部材を前記保護シートと共に吸着保持することを特徴とする板状部材の移送装置。
【請求項２】
前記突起が、その表面に突出方向に沿って延びる切刃を有することを特徴とする請求項１に記載の板状部材の移送装置。
【請求項３】
前記突起が多角錘形状をなし、該多角錘形状の稜線が前記切刃を構成することを特徴とする請求項２に記載の板状部材の移送装置。
【請求項４】
前記吸着パッドは、真空源に接続されるベース部と、該ベース部から椀状に延びて開口端面を形成するスカート部とを備え、前記突起が、前記ベース部に設けられていることを特徴とする請求項１〜３のいずれか１項に記載の板状部材の移送装置。
【請求項５】
前記吸着パッドは、真空源に接続されるベース部と、該ベース部から椀状に延びて開口端面を形成するスカート部とを備え、前記突起が、前記ベース部と前記スカート部との境界近傍に設けられていることを特徴とする請求項１〜３のいずれか１項に記載の板状部材の移送装置。
【請求項６】
前記吸着パッドは、その内面から開口端面側へ延びるストッパを備えており、該ストッパは、前記突起の先端部を越え前記開口端面よりも手前の位置まで延びていることを特徴とする請求項１〜５のいずれか１項に記載の板状部材の移送装置。
【請求項７】
前記突起が、金属製であることを特徴とする請求項１〜６のいずれか１項に記載の板状部材の移送装置。
【請求項８】
負圧を発生させる真空源に通じる吸着パッドであって、
パッド内面に突起を有し、該突起がその表面に突出方向に沿って延びる切刃を有することを特徴とする吸着パッド。
【請求項９】
前記突起が多角錘形状をなし、該多角錘形状の稜線が前記切刃を構成することを特徴とする請求項８に記載の吸着パッド。
【発明の詳細な説明】
【技術分野】
【０００１】
本発明は、ガラス板、樹脂板、ガラス層と樹脂層とを積層して構成される積層体板、金属板等の板状部材を移送する移送装置及びその装置のための吸着パッドに関し、より詳しくは、保護シートを伴った板状部材を保護シートと共に移送するための移送装置及び吸着パッドに関する。
【背景技術】
【０００２】
例えば、液晶ディスプレイ、プラズマディスプレイ等の画像表示機器用ディスプレイパネルの製作に用いられるガラス基板、電子表示機能素子や薄膜形成用の基材として用いられるガラス基板、建築構造物用のガラス板材等（以下、これらを総称してガラス板という）は、製造、搬送、保管等の工程において所定の位置へ移送される。その移送には、ガラス板を吸着パッドで吸着し、該吸着パッドを移動手段により所定位置へ移動するタイプの移送装置が広く用いられている。真空源に接続された吸着パッドは、ガラス板にあてがった状態でパッド内を負圧とすることにより、ガラス板を吸着する。【０００３】
一方、加工後の傷や汚れの防止のため、或いは、梱包パレットへの積載時にガラス板同士の接触による擦過傷を防止するために、ガラス板は、表面を紙、合成樹脂等の保護シート（合紙）で覆った状態で移送されることが多い。また、フラットパネルディスプレイ用のガラス板は、吸着パッドの接触痕を残さないように、保護シートを介して吸着パッドで吸着する。いずれの場合も、吸着パッドの負圧はまず保護シートに作用するので、保護シートを介してガラス板を吸着する必要がある。【０００４】
例えば紙等の通気性のある保護シートを使用する場合には、保護シートを通して吸着力をガラス板に作用させることができる。例えば、特許文献１，２及び３に記載された移送装置では、多孔質等、通気性のある保護シートを用いることにより、負圧をガラス板に及ぼしている。しかしながら、これらの場合には保護シートの材質が限定されてしまう。特に、梱包パレットに積層したガラス板をトラック等で移送すると、振動でガラス板がずれることがあるので、保護シートとしてクッション性があり、ずれが生じ難い発泡樹脂シートを用いることが多くなっており、この場合は保護シートを介してガラス板を吸着することができない。【０００５】
これに関し、特許文献４に記載の装置では、保護シートとして用いられる発泡樹脂シートのみを、一旦吸着パッドで吸着し、針状またはナイフ状の突き刺し部材にシート面を接触させることにより、切り込みを形成して通気性を持たせる。そして、その保護シートをガラス板上に移動させ、切り込み形成位置に吸着パッドをあてがって吸引することにより、負圧をガラス板に及ぼす。この装置によれば、保護シートの材質に拘わらず、負圧を確実にガラス板に及ぼすことができる。しかしながら、一旦保護シートのみを吸着して切り込みを形成するという工程を経る必要があり、工程と装置が複雑化するという欠点があった。
【先行技術文献】
【特許文献】
【０００６】
【特許文献１】特開２００４−１３６９２６（段落０００９）
【特許文献２】実公昭６０−１１８６０（第２欄）
【特許文献３】特開２００４−１５３１５７（段落００１３）
【特許文献４】特開２００５−７５４８２（段落００４１〜００４５）
【発明の概要】
【発明が解決しようとする課題】
【０００７】
そこで、本発明は、保護シートを介したガラス板等の板状部材の吸着を簡便且つ確実に行なうことができる移送装置及びそのための吸着パッドを提供することを目的とする。
【課題を解決するための手段】
【０００８】
前記目的を達成するため、本発明は、吸着パッドを介して作用する負圧により板状部材を吸着保持した状態で、前記板状部材を移送する板状部材の移送装置であって、前記吸着パッドはその内面に突起を有し、前記板状部材の表面に重ねられた保護シートを負圧により吸着したとき、前記突起が前記保護シートを貫通すると共に、前記保護シートの前記突起による貫通部分の周囲に通気部が形成され、該通気部を介して前記板状部材に作用する負圧により前記板状部材を前記保護シートと共に吸着保持することを特徴とする板状部材の移送装置を提供するものである。【０００９】
この移送装置は上記のように、吸着パッドがその内面に突起を有し、ガラス板等の板状部材の表面の保護シートを負圧により吸着したとき、突起が保護シートを貫通する。これに伴って、保護シートには突起による貫通部分の周囲に通気部が形成され、吸着パッドは、該通気部を介して板状部材に作用する負圧により板状部材を保護シートと共に吸着保持する。したがって、パッド内面に突起を設け、負圧を利用して該突起により保護シートに通気部を形成するという簡単な構成に基づき、保護シートを介したガラス板の吸着を簡便且つ確実に行なうことができる。【００１０】
前記突起は、その表面に突出方向に沿って延びる切刃を有したものとすることができる。この切刃は、保護シートが吸着パッドに吸着されたときに、該保護シートを貫通し、貫通部分の周囲に通気部を確実に形成する。【００１１】
前記突起は、多角錘形状をなし、該多角錘形状の稜線が前記切刃を構成したものとすることができる。これにより、保護シートに形成される孔は、多角錘の稜線から放射方向に延びる切れ目により通気部を生じさせる。特に、その切れ目は、吸引により展延している保護シート上で長く延びるように形成されるので、吸引力がより効果的に板状部材に作用する。【００１２】
前記吸着パッドは、真空源に接続されるベース部と、該ベース部から椀状に延びて開口端面を形成するスカート部とを備え、前記突起が、前記ベース部に設けられているものとすることができる。このようにベース部に設けられた突起は、椀状のスカート部の奧端に位置することとなる。したがって、負圧による吸引時に板状部材が突起に接触するのを確実に防止することができる。特に、スカート部が吸引に伴って板状部材側へ弾性変形する場合にこの点が効果的である。【００１３】
前記吸着パッドは、真空源に接続されるベース部と、該ベース部から椀状に延びて開口端面を形成するスカート部とを備え、前記突起が、前記ベース部と前記スカート部との境界近傍に設けられているものとすることができる。吸引された保護シートは、スカート部及びベース部にほぼ沿うように変形して突起に到達する。一方、スカート部が吸引に伴って弾性変形する場合、ベース部に近い基端部側で変形量が小さくなるので、板状部材は、スカート部とベース部との境界近傍に到達し難く、突起への接触が確実に防止される。【００１４】
前記吸着パッドは、その内面から開口端面側へ延びるストッパを備えており、該ストッパは、前記突起の先端部を越え前記開口端面よりも手前の位置まで延びているものとすることができる。この吸着パッドを用いれば、保護シートを吸着した際に、スカート部が撓んで板状部材が突起に接近しても、板状部材が、ストッパに当接することにより、それ以上の突起側への移動が制限されるので、突起に接触して板状部材が損傷を受けるのが確実に防止される。【００１５】
前記突起は、金属製とすることができる。これにより、吸着パッドによる吸着の際に保護シートを貫通する切削性が良好となり、また長期間に亘って良好な切削性が維持される。【００１６】
前記目的を達成するため、本発明は、負圧を発生させる真空源に通じる吸着パッドであって、パッド内面に突起を有し、該突起がその表面に突出方向に沿って延びる切刃を有することを特徴とする吸着パッドを提供するものである。【００１７】
このように吸着パッドは、その内面に突起を有しているので、板状部材の表面に保護シートが重ねられている場合は、吸着した保護シートを突起が貫通する。これに伴って、保護シートには突起による貫通部分の周囲に通気部が形成され、吸着パッドは、該通気部を介して板状部材に作用する負圧により板状部材を保護シートと共に吸着保持する。したがって、パッド内面に突起を設け、負圧を利用して該突起により保護シートに通気部を形成するという簡単な構成に基づき、保護シートを介した板状部材の吸着を簡便且つ確実に行なうことができる。【００１８】
前記突起は、多角錘形状をなし、該多角錘形状の稜線が前記切刃を構成したものとすることができる。これにより、保護シートに形成される孔は、多角錘の稜線から放射方向に延びる切れ目により通気部を生じさせる。特に、その切れ目は、吸引により展延している保護シート上で長く延びるように形成されるので、吸引力がより効果的に板状部材に作用する。
【発明の効果】
【００１９】
上記したように、本発明によれば、保護シートを介したガラス板等の板状部材の吸着を簡便且つ確実に行なうことができる移送装置及びそのための吸着パッドを提供することができる。
【図面の簡単な説明】
【００２０】
【図１】本発明に係る移送装置の一実施形態を概略的に示す正面図である。
【図２】図１に示した移送装置における吸着パッドを示す縦断面図である。
【図３】図２に示した吸着パッドの底面図である。
【図４】図２に示した吸着パッドの使用状態を示す縦断面図である。
【図５】図４の使用状態における保護シートの穿孔形態を示す底面図である。
【図６（１ａ）】図２の吸着パッドに用いられる突起の形態を示す図である。
【図６（１ｂ）】図２の吸着パッドに用いられる突起の他の形態を示す図である。
【図６（２ａ）】図２の吸着パッドに用いられる突起の他の形態を示す図である。
【図６（２ｂ）】図２の吸着パッドに用いられる突起の他の形態を示す図である。
【図６（３ａ）】図２の吸着パッドに用いられる突起の他の形態を示す図である。
【図６（３ｂ）】図２の吸着パッドに用いられる突起の他の形態を示す図である。
【図７】本発明に係る吸着パッドの他の実施形態を示す縦断面図である。
【図８】図７に示した吸着パッドの底面図である。
【図９（ａ）】吸着パッドの他の形態を示す縦断面図である。
【図９（ｂ）】吸着パッドの他の形態を示す縦断面図である。
【図９（ｃ）】吸着パッドの他の形態を示す縦断面図である。
【図９（ｄ）】吸着パッドの他の形態を示す縦断面図である。
【図１０（ａ）】吸着パッドのさらに他の形態を示す縦断面図である。
【図１０（ｂ）】吸着パッドのさらに他の形態を示す縦断面図である。
【図１０（ｃ）】吸着パッドのさらに他の形態を示す縦断面図である。
【発明を実施するための形態】
【００２１】
以下、本発明の実施形態について添付図面を参照しつつ説明する。図面中の同一又は同種の部分については、同じ番号を付して説明を一部省略する。
【００２２】
図１は、本発明に係る移送装置の一実施形態を概略的に示す正面図である。この移送装置は、レール１０に支持された移動手段１と、該移動手段１に結合された吸着装置３とを備えている。
【００２３】
移動手段１は、レール１０に沿って摺動する摺動部１１と、該摺動部に結合されて鉛直軸線回りの回動を可能にする旋回部１２と、該旋回部に結合されて上下方向に伸縮する昇降部１３と、該昇降部の下端部に結合されて水平軸線回りに回動する第一アーム１４と、該第一アームに結合され先端部に吸着装置３を支持し水平軸線回りに回動する第二アーム１５とを備えている。
【００２４】
レール１０は、天井等に架設され、板状部材、例えばガラス板Ｐを移送すべきステーション間に延びている。摺動部１１、旋回部１２、昇降部１３、第一アーム１４、第二アーム１５は、例えば各々に内蔵された電動モータ等の駆動手段により、所定の動作をするように構成されている。これには、公知の種々の構造を適用することができるので、ここでは詳細な説明を省略する。また、移動手段としては、レールに支持するものの他、床面上に設置された旋回アームに揺動アームを支持したもの、ロボットアーム状のもの等、種々の形態とすることができる。
【００２５】
各ステーションにおいてガラス板Ｐは、単体または積層、水平、垂直または斜め等、いずれの設置状態であってもよい。また、ガラス板Ｐは、表面保護等のために保護シートが重ねられている。保護シート（いわゆる合紙）は、発泡樹脂シート等の合成樹脂、紙等とされる。保護シートＢは伸縮性を有するのが望ましい。これにより、後述する吸着パッドによる吸着時に、保護シートは皺にならずにパッド内面に倣って変形し易く、突起によって確実に貫通孔を形成することができる。
【００２６】
吸着装置３は、第二アーム１５の先端部に支持された支持板３１と、該支持板に取り付けられた複数の吸着パッド３０と、一端が支持板３１に接続され、他端が摺動部１１を経て図外の真空源に接続された吸引ホース３３とを備えている。
【００２７】
支持板３１は、この実施形態においては、移送すべきガラス板よりやや小さい寸法の平板状をなし、内部に通気路が形成されている（図示略）。通気路は、吸引ホース３３の接続部３４から各吸着パッド３０へと延びている。
【００２８】
吸着パッド（吸着ヘッド）３０は、図２の縦断面図、図３の底面図で示すように、ベース部３５と、該ベース部から椀状に延びたスカート部３７とを備えている。ベース部３５は、ベース本体３５１と、該ベース本体から延び支持板３１の通気路に接続されるアダプタ３５２とを備えている。アダプタ３５２には、通気路に作用する負圧を伝えるための通孔３５２ａが形成され、ベース本体３５１には通孔３５２ａに連通する貫通孔３５１ａが形成されている。アダプタ３５２の外周面にはねじ部が形成され、これにナット３５３が螺合されている。吸着パッド３０は、支持板３１等のパッド取り付け板（ブラケット）の貫通孔にアダプタ３５２を挿入し、ナット３５３を締結することによって取り付けられる。
【００２９】
スカート部３７は、シリコン、ＮＢＲ等の可撓性材料で形成され、ベース本体３５１から椀状に延びており、ベース本体３５１と反対側に開口端面３７１を形成している。ベース本体３５１及びスカート部３７は、吸着パッド３０が吸引力を作用させるための凹陥状内面３８を形成している。
【００３０】
この実施形態においてスカート部３７は、ベース部３５側から開口端面３７１側へベル状に拡径した形状となっている。これにより、保護シートにあてがわれた際に先端部が撓みやすく、スカート部内の負圧維持が確実となる。また、これに代えて、スカート部３７は、図９(d) に示すように、ベース部３５側で平面上に延び、ほぼ同径で開口端面３７１まで延びる筒状とすることもできる。この場合は、保護シートとの密着性を高めるために、先端部に可撓性に富むパッド３７２を設けるのが望ましい。
【００３１】
吸着パッド３０はさらに、穿孔用の突起３９を備えている。突起３９は、凹陥状内面３８から開口端面３７１に向かって延びている。この突起３９は、鋭利な先端部３９１を有し、その基端部はベース部３５に固着されている。この固着は、接着、融着、ねじ止め等によって行なうことができ、接着には、例えば、シアノアクリレート系瞬間接着剤、エポキシ系接着剤、２液混合アクリル系接着剤等を用いることができる。或いは、ベース本体３５１及びスカート部３７の成形時に突起３９をインサート成形してもよい。突起３９は、保護シート穿孔の良好な切削性が維持されるように、超硬合金等、硬度の高い金属製とするのが望ましい。
【００３２】
突起３９は、保護シートに形成した孔の周縁部分が突起周面全体に密着するのを回避する異形断面形状とされており、この実施形態では、図６(１ａ)、 (１ｂ) に示すように三角錐状をなしている。これに代えて、図６(２ａ)、(２ｂ) に示す四角錐状等、他の多角錘状とすることもできる。多角錘状とする場合は、これらの図に示すように、錘面３９２は、隣り合う稜線を結ぶ平面より凹状となっているのが望ましい。これにより、後述する通気部が形成されやすくなり、保護シートを通じた吸引力がガラス板により効果的に作用する。
【００３３】
図示の実施形態においては、例えば、スカート部３７は、外径を５０〜１５０ｍｍ、高さを５〜２０ｍｍとすることができ、その場合、突起３９は、高さを５〜１０ｍｍ、基端部の径を２〜５ｍｍとすることができる。
【００３４】
突起３９はまた、図６(３ａ)、 (３ｂ) に示すように円錐状とし、円形断面の一部に通気部形成用の溝３９３を設けたものとすることもできる。単なる円錐状の突起は、保護シートの孔周縁部分が突起周面全体に密着し易く、その結果、吸着パッドの負圧が十分にガラス板に及ばない場合がある。これに対し、溝３９３を設けた突起３９は、たとえ保護シートが周面に密着しても溝３９３との間に間隙が生じているので、その間隙を通気部として負圧がガラス板に到達することとなる。
【００３５】
この移送装置は次のようにして使用される。まず、レール１０に沿って移動手段１を所定のピックアップ位置に至らせる。図１は、ピックアップ位置において斜めに立て掛けられていたガラス板を吸着した状態を示している。移動手段１を操作して、ガラス板Ｐを覆っている保護シートＢに吸着パッド３０をあてがう。そして、図外の真空源から吸引ホース３３及び支持板３１を通じて吸着パッド３０に負圧を作用させる。これにより、図４に示すように、保護シートＢが吸着パッド３０の凹陥状内面３８側へ吸引される。そして、突起３９の先端部３９１を越えて吸引されることにより、保護シートＢに穿孔ｂ０が形成される。さらに、突起３９による三角形の穿孔ｂ０は、各頂点（多角錘の稜線）から放射方向に延びる切れ目により通気部ｂ１を生じさせる。特に、保護シートＢはスカート部３７とガラス板Ｐとの間に挟まれた状態で吸引され展延しているので、通気部（切れ目）ｂ１は長く延びるように形成される。通気部ｂ１は、保護シートＢの表裏面を貫通して形成される結果、吸引力が効果的にガラス板に作用する。但し、突起３９を五角錐以上の多角錘にすると、穿孔ｂ０の周縁部分が突起周面全体に密着し易くなり、また、通気部ｂ１が形成されにくく、保護シートの材質等によっては、十分な空気流が得られないことがある。
【００３６】
こうして吸引が行なわれると、真空源からの負圧は、穿孔ｂ０及び通気部ｂ１を通じてガラス板Ｐに作用し、ガラス板Ｐは吸着パッド３０に吸着される。この状態で、移動手段１により吸着装置３を所定の位置へ移動させ、移動後に真空源からの負圧を解除すれば、ガラス板Ｐを保護シートＢと共に所定位置に設置することができる。この設置も、単体または積層、水平、垂直または斜め等、いずれであってもよい。吸着パッドの吸引力は、保護シートに多少の皺が存在しても、穿孔ｂ０等を通じてガラス板に到達するので、確実な吸着が可能となる。このように、吸着パッドの吸引力が確実にガラス板に及ぶ結果、移送中のガラス板の落下等の事故を防止することができる。
【００３７】
図７及び図８は、本発明の移送装置の他の実施形態を示している。この移送装置における吸着パッド３０は、凹陥状内面３８から開口端面３７１側へ延びるストッパ３６を備えている。ストッパ３６は、図８に示すように、円柱状をなしベース部３５の４箇所に設けられおり、各々、突起３９の先端部３９１を越え開口端面３７１より手前の位置まで延びている。
【００３８】
この吸着パッド３０を用いれば、保護シートＢを吸着した際に、スカート部３７が撓んでガラス板Ｐが突起３９に接近しても、ガラス板Ｐは、ストッパ３６に当接すると、それ以上の突起３９側への移動が制限されるので、突起３９に接触してガラス板Ｐが損傷を受けるのが防止される。
【００３９】
ストッパ３６は、図示のように、複数個を分散配置する他、円状、多角形状等の連続的または断続的な環状としてもよい。また、突起３９は、ストッパ３６の配置領域の内部の他、外部に設けてもよい。この実施形態では、突起３９は、ベース部３５における貫通孔３５１ａの壁面に接着されている。
【００４０】
以上、本発明の一実施形態について説明したが、本発明はこれに限定されるものではなく、その趣旨を逸脱しない限りにおいて種々の変更が可能である。例えば、穿孔用の突起３９は、図９に例示するように、凹陥状内面３８の種々の箇所に設けることができる。図９(ａ) はスカート部３７の位置、図９(ｂ) はベース部３５の位置、図９(ｃ) はベース部３５におけるアダプタ３５２の位置、図９(ｄ) はベース部端面から後退したアダプタ３５２の位置に、各々突起３９が設けられた状態を示している。アダプタ３５２は、通常金属製であるので、突起３９を蝋付けすることができる。また、アダプタ３５２と突起３９とを一体に機械加工して形成してもよい。
【００４１】
突起は、複数個設けることもできる。図１０は、２個の突起３９を設けた例を示しており、図１０(ａ) はスカート部３７とベース部３５の位置、図１０(ｂ) はベース部３５の位置、図１０(ｃ) はスカート部３７の位置に、各々突起３９が設けられた状態を示している。このように、複数個の突起３９を設けることにより、保護シートに形成される穿孔を通じてより多くの空気流を得ることができ、操作の迅速性を図ることができる。
【００４２】
上記実施形態では、多数の吸着パッドを用いて１枚のガラス板を吸着する例を示したが、ガラス板の寸法によっては、１枚のガラス板を１個または２個〜数個の吸着パッドで吸着することもできる。また、上記実施形態では、ガラス板Ｐを移送対象物としたが、移送対象物は、樹脂板、ガラス層と樹脂層とを積層して構成される積層体板、金属板等の板状部材であってもよい。
【符号の説明】
【００４３】
１：    移動手段
３：    吸着装置
３０：  吸着パッド
３５：  ベース部
３６：  ストッパ
３７：  スカート部
３８：  凹陥状内面
３９：  突起
３７１：開口端面
Ｂ：    保護シート
Ｐ：    ガラス板
ｂ０：    穿孔
ｂ１：    切れ目
【図１】
2011155443.tif 000003
【図２】
2011155443.tif 000004
【図３】
2011155443.tif 000005
【図４】
2011155443.tif 000006
【図５】
2011155443.tif 000007
【図６（１ａ）】
2011155443.tif 000008
【図６（１ｂ）】
2011155443.tif 000009
【図６（２ａ）】
2011155443.tif 000010
【図６（２ｂ）】
2011155443.tif 000011
【図６（３ａ）】
2011155443.tif 000012
【図６（３ｂ）】
2011155443.tif 000013
【図７】
2011155443.tif 000014
【図８】
2011155443.tif 000015
【図９（ａ）】
2011155443.tif 000016
【図９（ｂ）】
2011155443.tif 000017
【図９（ｃ）】
2011155443.tif 000018
【図９（ｄ）】
2011155443.tif 000019
【図１０（ａ）】
2011155443.tif 000020
【図１０（ｂ）】
2011155443.tif 000021
【図１０（ｃ）】
2011155443.tif 000022
【国際調査報告】
2011155443.tif 000023
2011155443.tif 000024
2011155443.tif 000025
2011155443.tif 000026